(57)【特許請求の範囲】
【請求項１】
（ａ）画像データをブロック毎に周波数変換して周波数領域毎の第１データに変換するステップと、
（ｂ）前記第１データを量子化して、前記第１データが対応する前記周波数領域に応じて設定されたビット長の第２データに変換するステップと、
（ｃ）前記第１データの値の分布、あるいは前記第２データの値の分布に対応して第１の暗号化対象領域として前記周波数領域を選択するステップと、
（ｄ）前記第１の暗号化対象領域と、前記第１データの値及び前記第２データの値に依存しないで固定した前記周波数領域である第２の暗号化対象領域とにおいて、前記周波数領域に応じて設定されるビット数だけ前記第２データを暗号化するステップと
を備え、
前記暗号化のための前記ビット数の、前記周波数領域全体の総数は、前記ブロックに依らず前記画像データにおいて一定である、画像データの変換方法。
【請求項２】
前記第２の暗号化対象領域となる前記周波数領域は少なくとも、
前記画像データの水平方向の周波数が最も小さくかつ前記画像データの垂直方向の周波数が二番目に小さい周波数領域と、
前記垂直方向の周波数が最も小さくかつ前記水平方向の周波数が二番目に小さい周波数領域と
が選択される、請求項１記載の画像データの変換方法。
【請求項３】
前記画像データの各々は、動画のフレーム毎の画像をフレーム間予測を用いて表し、
前記フレーム間予測の基準となる前記画像データについてのみ、前記ステップ（ｃ）（ｄ）を行う、請求項１乃至請求項２のいずれか一つに記載の画像データの変換方法。
【請求項４】
前記周波数領域毎における、前記ビット長に対する前記暗号化のための前記ビット数の割合は、前記ブロックに依らず前記画像データにおいて一定であり、
前記第１の暗号化対象領域及び前記第２の暗号化対象領域において、前記第２データの最上位側から前記ビット数分連続して選択されたビット列に対して前記暗号化が行われる、
請求項１乃至請求項３のいずれか一つに記載の画像データの変換方法。
【請求項５】
（ａ）画像データをブロック毎に周波数変換して周波数領域毎の第１データに変換するステップと、
（ｂ）前記第１データを量子化して、前記第１データが対応する前記周波数領域に応じて選択されたビット長の第２データに変換するステップと、
を備え、
前記周波数領域毎における、前記ビット長に対する前記暗号化のための前記ビット数の割合は、前記ブロックに依らず前記画像データにおいて一定であり、
前記暗号化の対象となる前記周波数領域において、前記第２データの最上位側から前記ビット数分連続して選択されたビット列に対して前記暗号化が行われる、画像データの変換方法。
【発明の詳細な説明】
【技術分野】
【０００１】
この発明は画像データの変換方法に関し、特に画像の圧縮処理における暗号化に関する。
【背景技術】
【０００２】
従来からデジタル画像の圧縮化処理が提案されている。例えば動画の圧縮においてはＭＰＥＧ(Moving Picture Group)方式が採用される。ＭＰＥＧ方式では、画像データに対してＤＣＴ（離散コサイン変換）変換を用いて周波数領域へと変換し、得られたＤＣＴ係数に対して所定の量子化ステップで量子化を行い、ハフマン符号を用いたエントロピー符号化を更に行って符号化された画像データを得る。復号の際は、符号化された画像データに対して、エントロピー復号化、逆量子化、逆ＤＣＴ変換をこの順に施して、復号化された画像データを得る。
【０００３】
ＤＣＴ係数のビット長の定め方を非特許文献１が例挙している。ＤＣＴ係数に対して、異なる二つの圧縮方式に対応するために、再度量子化を行う技術が特許文献１に紹介されている。デジタル画像の情報が相対的に多く含まれた周波数領域におけるＤＣＴ係数に基づいて求められた値を、当該情報が相対的に少なく含まれた周波数領域におけるＤＣＴ係数の代替として用いる技術が特許文献２に紹介されている。
【０００４】
【特許文献１】特開２００２−２８１４４６号公報
【特許文献２】特開２００２−１７６６５１
【非特許文献１】W.H. Chen, C.H. Smith, "Adaptive coding of monochrome and color images", IEEE Trans. Commun. COM25 (1977) 1285-1292.
【発明の開示】
【発明が解決しようとする課題】
【０００５】
ところで、画像データの秘匿性を高めたい場合、例えば被写体のプライバシーを保護する要求や、ペイパービューの要請に応える場合、符号化された画像データを暗号化する必要がある。しかしながら一般に画像データは、文書データや音響データと比較してデータ量が多く、その暗号化には高い処理能力が要求される。
【０００６】
この発明は上述の点に鑑みてなされたもので、画像データの暗号化に要求される処理能力を低減する技術を提供することを目的としている。
【課題を解決するための手段】
【０００７】
この発明にかかる画像データの変換方法の第１の態様は、（ａ）画像データをブロック毎に周波数変換して周波数領域毎の第１データに変換するステップと、（ｂ）前記第１データを量子化して、前記第１データが対応する前記周波数領域に応じて設定されたビット長の第２データに変換するステップと、（ｃ）前記第１データの値の分布、あるいは前記第２データの値の分布に対応して第１の暗号化対象領域として前記周波数領域を選択するステップと、（ｄ）前記第１の暗号化対象領域と、前記第１データの値及び前記第２データの値に依存しないで固定した前記周波数領域である第２の暗号化対象領域とにおいて、前記周波数領域に応じて設定されるビット数だけ前記第２データを暗号化するステップとを備える。前記暗号化のための前記ビット数の、前記周波数領域全体の総数は、前記ブロックに依らず前記画像データにおいて一定である。
【０００８】
この発明にかかる画像データの変換方法の第２の態様は、その第１の態様であって、前記第２の暗号化対象領域となる前記周波数領域は少なくとも、前記画像データの水平方向の周波数が最も小さくかつ前記画像データの垂直方向の周波数が二番目に小さい周波数領域と、前記垂直方向の周波数が最も小さくかつ前記水平方向の周波数が二番目に小さい周波数領域とが選択される。
【０００９】
この発明にかかる画像データの変換方法の第３の態様は、その第１の態様又は第２の態様であって、前記画像データの各々は、動画のフレーム毎の画像をフレーム間予測を用いて表し、前記フレーム間予測の基準となる前記画像データについてのみ、前記ステップ（ｃ）（ｄ）を行う。
【００１０】
この発明にかかる画像データの変換方法の第４の態様は、その第１の態様乃至第３の態様であって、前記周波数領域毎における、前記ビット長に対する前記暗号化のための前記ビット数の割合は、前記ブロックに依らず前記画像データにおいて一定であり、前記第１の暗号化対象領域及び前記第２の暗号化対象領域において、前記第２データの最上位側から前記ビット数分連続して選択されたビット列に対して前記暗号化が行われる。
【００１１】
この発明にかかる画像データの変換方法の第５の態様は、（ａ）画像データをブロック毎に周波数変換して周波数領域毎の第１データに変換するステップと、（ｂ）前記第１データを量子化して、前記第１データが対応する前記周波数領域に応じて選択されたビット長の第２データに変換するステップとを備える。前記周波数領域毎における、前記ビット長に対する前記暗号化のための前記ビット数の割合は、前記ブロックに依らず前記画像データにおいて一定であり、前記暗号化の対象となる前記周波数領域において、前記第２データの最上位側から前記ビット数分連続して選択されたビット列に対して前記暗号化が行われる。
【発明の効果】
【００１２】
この発明にかかる画像変換データの第１の態様によれば、暗号化対象となる第２データは、ブロックにおいて情報が多く含まれる周波数領域においてのみ暗号化される。更に、暗号化を行うビット数を画像データ内で固定される。従って暗号化処理に必要な能力が低減される。更に、固定の暗号化対象となる周波数領域が第１データや第２データの値に依らないので、復元された画像データを視認する困難性をある程度確保できる。
【００１３】
この発明にかかる画像変換データの第２の態様によれば、画像データの殆どが低周波成分を有しているため、水平方向、垂直方向のそれぞれについて、周波数が最も小さな周波数領域を選択することで、最低限の耐攻撃性が高まり易い。しかも画像の濃淡を決定する成分を有する、水平方向、垂直方向のいずれについても周波数が最も小さな周波数領域を選択しないので、復元された画像データの視認性を殆ど高めることなく、暗号処理を効果的にする。
【００１４】
この発明にかかる画像変換データの第３の態様によれば、フレーム予測の基準となる前記画像データについてのみ暗号化を行うので、フレーム間予測を行う画像データを暗号化しなくても、全ての画像データの復元が困難となり、暗号化処理に必要な能力が低減される。
【００１５】
この発明にかかる画像変換データの第４の態様によれば、暗号化による秘匿性が高いビット列についての暗号化を、ビット長が大きい第２データについては多くのビット数を以て行うので、暗号処理を効果的にする。
【００１６】
この発明にかかる画像変換データの第５の態様によれば、暗号化による秘匿性が高いビット列についての暗号化を、ビット長が大きい第２データについては多くのビット数を以て行うので、暗号処理を効果的にする。
【発明を実施するための最良の形態】
【００１７】
図１は、本発明にかかる画像データの変換方法が適用できる、画像圧縮伸張システムの構成を例示するブロック図である。当該システムにおいては、伸張処理によるデータの復号処理をデコード、暗号化されたデータを元のデータに復号化する処理をデクリプトと称する。これらに対応して圧縮処理の際の符号化をエンコード、暗号化をエンクリプトと称することもある。
【００１８】
当該システムでは、画像データを複数のブロックに分割して処理する。以下では一つのブロックの大きさとして、画像データの水平方向及び垂直方向のいずれにも８画素分連続する６４画素を採用する。
【００１９】
エンコーダ２は、原画像データを構成する原ブロックデータ１を、暗号化を伴って符号化し、符号化されたブロックデータ３１と暗号パターン３２とを得る。またデコーダ５はブロックデータ３１と暗号パターン３２とに基づいて、原ブロックデータ１に対応した復元ブロックデータ６を得る。原画像データに対応する復元画像は、復元ブロックデータ６の複数を用いて構成できる。
【００２０】
但し、原画像データの全てについて、符号化において暗号化を伴う必要はない。本発明は静止画においても適用できるが、特に動画に関しては、処理に高速性が要求されるので、動画を構成する全ての原画像データについて暗号化を行うことは望ましくない。
【００２１】
そこで例えば、ＭＰＥＧにおいては画像データのフレームがフレーム間予測の基準となるＩフレーム（Intra-coded Frame）とフレーム間予測を行うＰフレーム（Predicted Frame）及びＢフレーム（Bi-directional Predicted Frame）に分類できることに鑑みて、Ｉフレームのみを暗号化することが望ましい。Ｉフレームの情報が秘匿されれば、フレーム間予測を行うＰフレームやＢフレームのみでは画像を求めることが困難だからである。また一般に、Ｉフレームの情報量はＰフレームやＢフレームの情報量よりも小さいという観点からも、Ｉフレームのみを暗号化することが望ましい。
【００２２】
このようにＩフレームのみを暗号化することで、暗号化処理に必要な能力が低減される。よって当該システムでは、選択信号ＳＥＬ１，ＳＥＬ２を採用し、それぞれエンコーダ２及びデコーダ５に対して、処理対象となっているブロックがＩフレームに相当する画像データを構成するものか否かを知らせている。選択信号ＳＥＬ１はブロックデータ３１と共にエンコーダ２からデコーダ５へと伝送し、選択信号ＳＥＬ２と兼用してもよい。
【００２３】
エンコーダ２はＹＵＶ色空間への変換器２１、ＤＣＴ変換器２２、量子化器２３、エントロピーエンコード器２５を備えている。デコーダ５はＲＧＢ色空間への変換器５１、逆ＤＣＴ変換器５２、逆量子化器５３、エントロピーデコード器５５を備えている。量子化器２３、逆量子化器５３の処理には量子化テーブル４１が採用され、エントロピーエンコード器２５、エントロピーデコード器５５の処理には例えばハフマン符号が採用され、ハフマン符号テーブル４２が利用される。
【００２４】
これらの機能は通常のＭＰＥＧ方式のそれと同様であるので、ここでは説明を省略する。但し、後の説明の便宜のため、ＤＣＴ変換器２２及び量子化器２３の機能について簡単に説明する。
【００２５】
ＤＣＴ変換器２２はブロックを周波数変換し、８×８の周波数領域毎にＤＣＴ係数を第１データとして得る。図２はＤＣＴ変換器２２が採用する周波数領域を示す模式図であり、水平方向の周波数をＨ、垂直方向の周波数をＶとし、符号ａHVを以て周波数領域を示している（Ｈ，Ｖ＝０〜７）。図中の矢印は水平方向、垂直方向のそれぞれの周波数（以下では、それぞれ水平周波数、垂直周波数と称す）が高くなる方向を示している。以下、周波数領域ａHVにおいて得られたＤＣＴ係数を記号ＤHVを用いて示す。
【００２６】
ＤＣＴ係数ＤHVは量子化テーブル４１に従って量子化器２３によって量子化され、量子化係数ＱHVを第２データとして得る。量子化係数ＱHVのビット長ＮHVは、周波数領域ａHV毎に定まる。このようなビット長ＮHVと周波数領域ａHVとの関係は、上記の非特許文献１に例示されており、通常は周波数領域ａHVの水平周波数、垂直周波数が低いほど、ＤＣＴ係数ＤHVが大きいため、ビット長ＮHVが長くなるように量子化テーブル４１が設定される。図３は一つのブロックにおけるビット長ＮHVの分布を例示する図である。
【００２７】
さてエンコーダ２は更にエンクリプト器２４とセレクタ２６を有している。セレクタ２６は、量子化係数ＱHVを選択信号ＳＥＬ１に従って、エンクリプト器２４とエントロピーエンコード器２５のいずれかに振り分ける。これにより、処理中のブロックがＩフレームに対応している場合には量子化係数ＱHVをエンクリプト器２４に出力し、ＢフレームやＰフレームに対応している場合には量子化係数ＱHVをエントロピーエンコード器２５に出力する。
【００２８】
量子化係数ＱHVがエントロピーエンコード器２５に出力される場合は、通常のＭＰＥＧ方式と同様の処理がなされるので、ここでは説明しない。以下、量子化係数ＱHVがセレクタ２６を経由してエンクリプト器２４に出力される場合について説明する。
【００２９】
第１の実施の形態．
エンクリプト器２４は、周波数領域ａHVのうち、その量子化係数ＱHVの分布に対応して、第１の暗号化対象領域を選択する。量子化係数ＱHVの分布が異なるブロック同士では、第１の暗号化対象領域も異なる場合がある。例えば原ブロックデータ１の高周波成分が小さい場合、量子化係数ＱHVは水平周波数や垂直周波数が小さな周波数領域ａHVにおいて値が大きくなる。よって第１の暗号化対象領域は周波数が低い側の周波数領域が選択される。逆に原ブロックデータ１の高周波成分が大きい場合、第１の暗号化対象領域は周波数が高い側の周波数領域が選択される。以下、第１の暗号化対象領域として選択された周波数領域ａHVを周波数領域群Ａ１として示す。勿論、周波数領域群Ａ１には周波数領域ａHVが一つだけ含まれる場合もあるし、全く含まれない場合をも周波数領域群Ａ１として説明する。後者の場合には実質的には第１の暗号化対象領域は存在しない。
【００３０】
また周波数領域群Ａ１が採り得る周波数領域ａHVのパターンは代表的なものを予めいくつか設定しておくことが簡便である。例えば量子化係数Ｑ22の値が第１の閾値以下であるときには周波数領域群Ａ１にはいずれの周波数領域ａHVも含まれないパターンを採用する。量子化係数Ｑ22の値が第１の閾値を超える場合には周波数領域群Ａ１には周波数領域ａ02，ａ20が含まれるパターンを採用する。
【００３１】
このようにして暗号化対象となる量子化係数ＱHVは、ブロックにおいて情報が多く含まれる周波数領域においてのみ暗号化される。よって暗号化処理に必要な能力が低減される。
【００３２】
また、第２の暗号化対象領域として、量子化係数ＱHVの値に依存しないで固定した周波数領域が採用される。これは原ブロックデータ１に依存しないので、予めエンコーダ２とデコーダ５とで設定しておき、画像処理において当該設定を行う必要はない。このような第２の暗号化対象領域を採用することにより、復元画像ブロックデータで構成された画像データを視認する際の困難性をある程度確保できる。以下、第２の暗号化対象領域として採用された周波数領域ａHVを周波数領域群Ａ２として示す。
【００３３】
特に画像データの殆どが低周波成分を有しているため、水平方向、垂直方向のそれぞれについて、周波数が最も小さな周波数領域ａ01，ａ10，ａ00を採用し、これらを周波数領域群Ａ２に含めることで、最低限の耐攻撃性が高まり易い。
【００３４】
望ましくは水平方向、垂直方向のいずれについても周波数が最も小さな周波数領域ａ00を採用しない。この領域の情報は画像の濃淡を決定する成分を有しているので、量子化係数Ｑ00を暗号化しなくても、復元された画像データの視認性を高めることは殆どない。よって周波数領域群Ａ２は周波数領域ａ01，ａ10のみで構成されることが望ましい。但し更に、周波数領域ａ11のような他の周波数領域を含むことを阻むものではない。
【００３５】
周波数領域群Ａ１を選択する基準として、量子化係数ＱHVではなく、量子化前のＤＣＴ係数ＤHVを用いてもよい。図１においてＤＣＴ変換器２２からエンクリプト器２４へと向かう破線の矢印は、周波数領域群Ａ１を選択するためにＤＣＴ係数ＤHVが送られる様子を示している。
【００３６】
周波数領域群Ａ１，Ａ２において量子化係数ＱHVを暗号化する場合、量子化係数ＱHVの各々の全ビットについて暗号化を行う必要はない。即ち周波数領域群Ａ１，Ａ２に属する周波数領域ａHVにおいて暗号化の対象となるビット数ＳHVはビット長ＮHVより小さくてもよい。ビット数ＳHVに限った暗号化によっても量子化係数ＱHVは擾乱されるからである。但し、この擾乱の程度を高めるためには、暗号化の対象となる量子化係数ＱHVの上位側からビット数ＳHV分連続して採用されたビット列に対して暗号化を施すことが望ましい。上位側のビット列を暗号化する方が、下位側のビット列を暗号化するよりも量子化係数ＱHVの擾乱に与える影響が大きく、暗号化による秘匿性が高いからである。
【００３７】
また、周波数領域群Ａ１，Ａ２に亘ってのビット数ＳHVの総数、即ちビット数ＳHVの周波数領域ａHV全体の総数は、ブロックに依らず画像データにおいて一定とすることが望ましい。これも暗号化処理に必要な能力が低減される観点から望ましい。
【００３８】
上述の例に即して言えば、量子化係数Ｑ22の値が第１の閾値以下であるときには周波数領域ａ01，ａ10が暗号化の対象となる。そしてビット数Ｓ01，Ｓ10としてそれぞれ４ビットを採用し、ビット数の総数は８ビットとなる。量子化係数Ｑ22の値が第１の閾値を超えるときには周波数領域ａ01，ａ10，ａ02，ａ20が暗号化の対象となる。そしてビット数Ｓ01，Ｓ10，Ｓ02，Ｓ20としてそれぞれ２ビットを採用し、ビット数の総数は８ビットとなる。
【００３９】
暗号パターン３２は周波数領域群Ａ１，Ａ２に属する周波数領域ａHV及びそこでの暗号化の対象となるビット数ＳHVあるいは更に暗号化の対象となったビット位置についての情報を含んでおり、ブロックデータ３１と共にデコーダ５に入力する。暗号化の対象となったビット列が量子化係数ＱHVの最上位からビット数ＳHV分であれば、必ずしも暗号化の対象となったビット位置についての情報は必要ない。
【００４０】
ブロックデータ３１はエントロピーデコード器５５に入力し、デコードされる。その結果はセレクタ５６によって選択信号ＳＥＬ２に従って、デクリプト器５４と逆量子化器５３のいずれかに振り分ける。これにより、処理中のブロックがＩフレームに対応している場合にはエントロピーデコードされた結果をデクリプト器５４に出力し、ＢフレームやＰフレームに対応している場合には当該結果を逆量子化器５３に出力する。
【００４１】
エントロピーデコードされた結果が逆量子化器５３に出力される場合は、通常のＭＰＥＧ方式と同様の処理がなされるので、ここでは説明しない。以下、当該結果がセレクタ５６を経由して逆量子化器５３に出力される場合について説明する。
【００４２】
デクリプト器５４には、暗号パターン３２が入力され、これに基づいてエントロピーデコードされた結果をデクリプトする。具体的には周波数領域群Ａ１，Ａ２に属する周波数領域ａHV及びそこでの暗号化の対象となるビット数ＳHVあるいは更に暗号化の対象となったビット位置に対してデクリプトを行う。なお、デクリプトの際に必要となるキーは、周知の技術によって、エンクリプトの際に用いられたキーと対応して予めデクリプト器５４に備えておくことができる。
【００４３】
デクリプトされたデータは、逆量子化器５３によって逆量子化され、その後、通常のＭＰＥＧ方式のデコードと同様に処理される。そして変換器５１から復元ブロックデータ６が得られる。
【００４４】
第２の実施の形態．
本実施の形態においては、暗号化の対象となる量子化係数ＱHVにおける暗号化されるビット数ＳHVの長さは、ビット長ＮHVに対する比（以下「ビット比」と称す）で決定される。具体的にはビット比は、原ブロックデータ１がどのブロックに対応しているかに依らず、画像データにおいて一定となる。
【００４５】
そして、暗号化の対象となる周波数領域ａHVにおいては、量子化係数ＱHVの最上位側からビット数ＳHV分連続して採用されたビット列に対して暗号化が行われる。このようなビット列の選択による効果は第１の実施の形態で説明した。
【００４６】
例えば、ビット比が５０％である場合を説明する。図２及び図３を参照して、Ｎ00＝８，Ｎ23＝Ｎ32＝４である。よって暗号化の対象となる周波数領域がａ23，ａ32である場合には、Ｓ23＝Ｓ32＝４×５０／１００＝２となり、原ブロックデータ１において暗号化処理されるビット数は２＋２＝４ビットとなる。他方、暗号化の対象となる周波数領域がａ00，ａ23，ａ32である場合にはＳ00＝８×５０／１００＝４となるので、原ブロックデータ１において暗号化処理されるビット数は２＋２＋４＝８ビットとなる。
【００４７】
なお、Ｎ12＝Ｎ21＝７であり、その値の５０％は整数とはならない。よって本発明においてビット数ＳHVを整数として求めるために、ビット比が多少修正されることはやむを得ない。例えば原ブロックデータ１において低周波成分が多く、暗号化の対象として周波数領域ａ01，ａ10，ａ11を採用すると、ビット数Ｓ01，Ｓ10，Ｓ11はそれぞれ３，３，３とすることができる。
【００４８】
本実施の形態によれば、ビット比をブロックに依存せずに一定とすることにより、ビット長が大きい量子化係数ＱHVについては多くのビット数を以て行うので、暗号処理が効果的となる。
【００４９】
あるいは例えば暗号化のパターンを以下の二つに限定する。これにより暗号化パターン３２としては、第１パターンであるか第２パターンであるかの情報のみで足りる。但しビット比は７０％である。
【００５０】
（ｉ）第１パターン（低周波成分が大きい場合用：例えばＱ44が第２の閾値以下の場合）：
周波数領域群Ａ１は周波数領域ａ11を、周波数領域群Ａ２は周波数領域ａ01，ａ10を含む：
Ｓ11＝Ｎ11×７０／１００＝６×０．７＝４．２≒４：
Ｓ01＝Ｎ01×７０／１００＝７×０．７＝４．９≒５：
Ｓ10＝Ｎ10×７０／１００＝７×０．７＝４．９≒５：
（ｉｉ）第２パターン（高周波成分が大きい場合用：例えばＱ44が第２の閾値を超える場合）：
周波数領域群Ａ１は周波数領域ａ43，ａ44を、周波数領域群Ａ２は周波数領域ａ01，ａ10を含む：
Ｓ43＝Ｎ43×７０／１００＝３×０．７＝２．１≒２：
Ｓ44＝Ｎ44×７０／１００＝３×０．７＝２．１≒２：
そして第１パターンでの暗号化のためのビット数の総数はＳ11＋Ｓ01＋Ｓ10＝１４であり、第２パターンでの暗号化のためのビット数の総数はＳ43＋Ｓ44＋Ｓ01＋Ｓ10＝１４であり、両者は等しくなる。よって暗号化を行うビット数が画像データ内で固定でき、従って暗号化処理に必要な能力が低減される。
【図面の簡単な説明】
【００５１】
【図１】本発明にかかる画像データの変換方法が適用できる、画像圧縮伸張システムの構成を例示するブロック図である。
【図２】ＤＣＴ変換器２２が採用する周波数領域を示す模式図である。
【図３】一つのブロックにおけるビット長ＮHVの分布を例示する図である。
【符号の説明】
【００５２】
１  原ブロックデータ
２２  ＤＣＴ変換器
２３  量子化器
２４  エンクリプト器
ＤHV  ＤＣＴ係数
ＱHV  量子化係数
【図１】
0004654465.tif 000002
【図２】
0004654465.tif 000003
【図３】
0004654465.tif 000004